(57)【要約】【課題】  フロントローディング型の装置において、装置の専有面積を大きくすることなく作業性を向上する。【解決手段】  この装置は、画像形成装置の給紙部に対して引き出し可能に配置された用紙収納部を備えた装置において、把手４３と、小物収容部３４とを備えている。把手４３は、用紙収納部の前面から装置内部に向かって形成され、用紙収納部を引き出すためのものである。小物収容部３４は、把手４３の側方に把手と並べて配置され、底部が開口する凹部からなるものである。そして、小物収容部３４の底部に形成された開口の開口面積は、上部の開口の開口面積より小さい。【選択図】      図５
2004171031.tif 000002
【特許請求の範囲】
【請求項１】
画像形成装置の給紙部に対して引き出し可能に配置された用紙収納部を備えた画像形成装置用給紙装置において、
前記用紙収納部の前面から装置内部に向かって形成された、前記用紙収納部を引き出すための把手部と、
前記把手部の側方に配置され、底部が開口する凹部からなる小物収容部とを備え、
前記小物収容部の底部に形成された開口の開口面積は、上部の開口の開口面積より小さい、
画像形成装置用給紙装置。
【請求項２】
前記小物収容部の底部に形成された開口の前後方向の幅は、前記上部の開口の前後方向の幅よりも狭い、請求項１に記載の画像形成装置用給紙装置。
【請求項３】
前記用紙収納部は、前記画像形成装置の給紙部に対し、給紙ローラの回転軸線方向に引き出し可能に配置されている、請求項１又は２に記載の画像形成装置用給紙装置。
【請求項４】
前記小物収容部は前記把手部の側方に前記把手部と並べて配置されている、請求項１から３のいずれかに記載の画像形成装置用給紙装置。
【発明の詳細な説明】
【技術分野】
【０００１】
本発明は、給紙装置、特に、画像形成装置の給紙部に対して引き出し可能に配置された用紙収納部を備えた画像形成装置用給紙装置に関する。
【背景技術】
【０００２】
例えば複写機等の画像形成装置において、給紙カセットを複写機本体の前面からカセット収容部内に装着するいわゆるフロントローディングタイプのものが知られている。この種の複写機では、給紙カセットが装置外に突出していないので、装置の設置面積が小さくでき、小さな空間に装置を置くことができる。
【０００３】
このフロントローディングタイプの複写機では、給紙カセットの前面に形成された把手を前方に引っ張ることにより、給紙カセットを装置前方に引き出すことが可能である。給紙カセットを引き出すための把手は、余分な突出を避けるために、カセットの前面から装置内部に向かって形成されている。
【０００４】
また、複写機を使用する際には、種々の小物が近くにあると便利である。例えばクリップやホッチキス等のように、複数枚の用紙をまとめるものが複写機の側方にあると便利である。
【０００５】
また、複写機等の画像形成装置では、一般に、定型サイズの用紙を収納したカセットは用意されているが、はがきサイズや名刺サイズ等のそれ以外のサイズの用紙については、手差し給紙口から供給している。このため、はがきサイズや名刺サイズの原稿を複写する場合には、それらのサイズの用紙を用意し、手差し給紙口から挿入するか、又は、給紙カセット内の用紙に複写を行い、複写後にそれをはがきサイズや名刺サイズに切断していた。
【特許文献１】特開平２−１３８０３１号公報
【発明の開示】
【発明が解決しようとする課題】
【０００６】
前記従来の構成において、作業性を向上するために、小物や給紙カセットに収納できない用紙を収納するための収納部を複写機本体の側部等に配置することが考えられる。しかし、元来、フロントローディング型の複写機は、装置の専有面積が小さいことが特徴であり、小物等を収納するための空間を装置の側部等に設けると、全体の設置面積が大きくなってしまい、フロントローディング型の特徴が失われてしまう。
【０００７】
本発明の目的は、フロントローディング型の装置において、装置の専有面積を大きくすることなく作業性を向上することにある。
【課題を解決するための手段】
【０００８】
請求項１に係る画像形成装置用給紙装置は、画像形成装置の給紙部に対して引き出し可能に配置された用紙収納部を備えた装置であり、把手部と、小物収容部とを備えている。把手部は、用紙収納部の前面から装置内部に向かって形成され、用紙収納部を引き出すためのものである。小物収容部は、把手部の側方に配置され、底部が開口する凹部からなるものである。そして、小物収容部の底部に形成された開口の開口面積は、上部の開口の開口面積より小さい。
【０００９】
この装置では、用紙収納部を引き出すための把手部の側方に、小物収容部が配置されている。ここで、把手部は用紙収納部の前面から装置内部に向かって形成されている。このため、用紙収納部は、内部に突出する部分が形成されている。この内部に突出する部分の側方は、給紙のためのスペースとして使用することはできず、デッドスペースとなっている。
【００１０】
そこで本発明では、デッドスペースを利用して小物収容部が配置されている。このため、装置の専有面積を増やすことなく、装置内に小物を収容することができ、作業性が向上する。
【００１１】
請求項２に係る画像形成装置用給紙装置は、請求項１の装置において、小物収容部の底部に形成された開口の前後方向の幅は、上部の開口の前後方向の幅よりも狭い。
【００１２】
請求項３に係る画像形成装置用給紙装置は、請求項１又は２の装置において、用紙収納部は、画像形成装置の給紙部に対し、給紙ローラの回転軸線方向に引き出し可能に配置されている。
【００１３】
請求項４に係る画像形成装置用給紙装置は、請求項１から３のいずれかの装置において、小物収容部は把手部の側方に把手部と並べて配置されている。
【発明の効果】
【００１４】
本発明に係る給紙装置では、把手の側方に小物収容部を設けたので、装置全体の専有面積を大きくすることなく、作業性が向上する。また、小物収容部に名刺サイズ等の用紙を収納して取り出す際に、小物収容部の底面開口から指先を挿入して用紙の取り出しが行える。
【発明を実施するための最良の形態】
【００１５】
図１は、本発明の一実施例を採用した複写機を示している。図において、複写機本体１の上面には原稿台２が固定されており、原稿台２上には、原稿押さえ３が開閉自在に設けられている。複写機本体１の底部には、本体１の前面側に開口（図示せず）を有する収納スペースが設けられており、この収納スペースに給紙カセット４が引き出し可能に装着されている。本体１の左側には、その一部を本体１外に突出させた排紙トレイ６が装着されている。また、本体１の右側部には、手差し給紙トレイ２２が開閉自在に装着されている。この手差し給紙トレイ２２は、手差し給紙を行わない場合は折り畳むことが可能である。また、手差し給紙を行う場合は、図１に示すような姿勢にして使用する。
【００１６】
本体１の内部において、その上側には、原稿読取りのための露光装置７が設けられている。この露光装置７は、光源，ミラー，レンズユニット等から構成されている。また、本体１の中央部には、表面に静電潜像が形成される感光体ドラム８が配置されている。感光体ドラム８の周囲には、帯電装置９、現像装置１０、転写装置１１、用紙分離装置１２及びクリーニング装置１３が順に配置されている。給紙カセット４と感光体ドラム８等によって構成される画像形成部との間には、用紙を供給するための給紙搬送路１４が設けられている。また、画像形成部と排紙トレイ６との間には、排紙搬送路１５、用紙上の転写像を定着するための定着装置１６及び排出ローラ１７が配置されている。
【００１７】
給紙搬送路１４の転写装置１１側端部には、画像形成部に所定タイミングで用紙を搬送するための１対のレジストローラ２０が配置されている。また、レジストローラ２０よりも上流側において、給紙搬送路１４には、それぞれ３対の搬送ローラ２１が配置されている。
【００１８】
また、給紙カセット４の上部には、給紙ローラ１９が配置されている。給紙ローラ１９は、給紙カセット４内に収容された用紙を１枚ずつ給紙搬送路１４に搬出するためのものである。
【００１９】
複写機本体１の底部に形成された開口の左右両端部には、図２に示すように、本体１に対して前後方向に移動自在なレール３０が配置されている。給紙カセット４は、このレール３０に支持されている。給紙カセット４は、箱状に形成された樹脂製のカセット本体３１と、用紙を載置するための乗載板３５と、用紙の後端を規制するための規制板３６と、用紙の左右端を規制するための１対の規制板３７とを備えている。乗載板３５は、ばね３８（図１）にて上方に付勢されている。
【００２０】
カセット本体３１の前面部３２は、図２に示すように、ほぼ中央部から左端部にかけて幅広になっている。この前面部３２の中央部には把手３３が設けられている。把手３３は、図３及び図４に示すように、カセット本体３１の前面からカセット本体３１の内部に向かって形成されている。また、把手３３の前端部には、下方に所定の長さ突出する係止部３３ａが形成されている。作業者は、この係止部３３ａに指を引っ掛けて給紙カセット４を引き出すことが可能である。
【００２１】
カセット本体３１の前面部３２において、把手３３の図２左方には、名刺サイズの用紙を収容するための小物収容部３４が設けられている。小物収容部３４は、図３及び図５に示すように、カセット本体３１の前面部３２に凹部を形成して構成されたものである。この小物収容部３４の底部には開口４４が形成されている。開口４４の前後方向の幅は、名刺サイズの用紙４５の幅よりも小さくなっており、用紙４５が落下しないようになっている。また、小物収容部３４の前壁３４ａ下端には、開口４４側に突出する爪４３が形成されている。この爪４３に対向して、爪４３よりやや深い位置には、カセット本体３１の前壁３１ａから前方に突出する係止部３１ｂが形成されている。この係止部３１ｂの上方に、後方に向かって所定の深さの取り出し溝４２が形成されている。取り出し溝４２は、所定の厚さの用紙が挿入可能となっている。
【００２２】
このような実施例では、名刺をコピーする場合は、図６に示すように、給紙カセット４の下面に手を差し込み、収容された用紙４５の下面に指先を当て、図６左方に用紙４５を押してその先端を取り出し溝４２に挿入する。これにより、用紙の後端（複写機本体１の前方側の端部）が爪４３から外れて下方に落下する。この状態で再度指先で用紙を図６右方に引っ張って用紙を取り出す。そして、この用紙を手差し給紙トレイ２２から給紙することにより、名刺のコピーを行うことが可能である。
【００２３】
このような用紙４５の取り出し時において、小物収容部３４の底面は、カセット本体３１の底面よりやや上方に位置しているので、給紙カセット４を収納した状態で指先を小物収容部３４の底部に挿入することができ、給紙カセット４を引き出すことなく用紙の取り出しが行える。
【００２４】
この実施例では、複写機本体１からの突起を極力抑えるために、給紙カセット４の把手３３を前面から本体内部に向かって形成している。このため、カセット本体３１の前面部３２には、把手３３の両側方に、奥行き方向に余分なスペースが生じる。この余分なスペースに小物収容部３４を形成することにより、カセットサイズを大きくすることなく複写に必要な小物を収容することができる。
【００２５】
〔他の実施例〕
（ａ）前記実施例では、複写機の給紙装置を例に説明したが、レーザプリンタやファクシミリ装置等の他の画像形成装置の給紙装置にも適用できる。
【００２６】
（ｂ）前記実施例では、小物収容部に名刺サイズの用紙を収容したが、他の小物を収容するようなものにしても良い。
【図面の簡単な説明】
【００２７】
【図１】本発明の一実施例を採用した複写機の断面模式図。
【図２】給紙カセットの平面図。
【図３】その正面図。
【図４】図３のIV−IV断面部分図。
【図５】図３のＶ−Ｖ断面部分図。
【図６】名刺サイズの用紙の取り出し方法を説明する図。
【符号の説明】
【００２８】
１  複写機本体
４  給紙カセット
１９  給紙ローラ
３１  カセット本体
３１ｂ  係止部
３３  把手
３４  小物収容部
４３  爪
４４  開口
【図１】
2004171031.tif 000003
【図２】
2004171031.tif 000004
【図３】
2004171031.tif 000005
【図４】
2004171031.tif 000006
【図５】
2004171031.tif 000007
【図６】
2004171031.tif 000008